【事件の表示】
　特許第３３２９２３０号「コネクタの実装方法」の請求項１ないし４に係る特許に対する特許異議の申立てについて、次のとおり決定する。
【結　論】
　訂正を認める。
　特許第３３２９２３０号の請求項１ないし３に係る特許を維持する。
【理　由】
１．手続の経緯
　本件特許３３２９２３０号の請求項１〜４に係る発明についての出願は、平成６年１月１８日に出願した特願平６−３４７１号の一部を平成９年４月２４日に新たな特許出願としたものであって、平成１４年７月１９日にその発明について特許権の設定登録がなされ、その後、申立人松岡利忠より特許異議の申立てがなされ、取消しの理由が通知され、その指定期間内である平成１５年８月２６日に意見書及び訂正請求書が提出されたものである。
　　　
２．訂正の適否
（１）訂正の内容
　特許権者が求めている訂正の内容は以下のａ〜ｅのとおりである。
　Ａ．訂正事項ａ
　特許請求の範囲の請求項１について、「プリント基板の端部に両翼部を残して形成された切欠部にコネクタを挿入し、コネクタの両側部に突設された突出部を前記両翼部に載せるとともに、コネクタの前面から延出する複数本のリードを前記切欠部の端縁に沿って形成された前記プリント基板の回路パターンの端子に載せ、リードを端子に半田付けして固着するようにしたコネクタの実装方法であって、前記コネクタの重心が前記突出部よりも前記リード寄りにあることを特徴とするコネクタの実装方法。」を「プリント基板の端部に両翼部を残して形成された切欠部にコネクタを挿入し、コネクタの両側部に突設された突出部を前記両翼部に載せるとともに、コネクタの前面から延出する複数本のリードを前記切欠部の端縁に沿って形成された前記プリント基板の回路パターンの端子に載せ、リードを端子に半田付けして固着するようにしたコネクタの実装方法であって、前記コネクタの重心が前記突出部よりも前記リード寄りにあ
り、リードを端子に押し付ける方向に回転モーメントが作用す
　　　
　Ｂ．訂正事項ｂ
　特許請求の範囲の請求項４を削除する。
　　　
　Ｃ．訂正事項ｃ
　明細書の段落番号【０００７】の「【課題を解決するための手段】本発明のコネクタの実装方法は、プリント基板の端部に両翼部を残して形成された切欠部にコネクタを挿入し、コネクタの両側部に突設された突出部を前記両翼部に載せるとともに、コネクタの前面から延出する複数本のリードを前記切欠部の端縁に沿って形成された前記プリント基板の回路パターンの端子に載せ、リードを端子に半田付けして固着するようにしたコネクタの実装方法であって、前記コネクタの重心が前記突出部よりも前記リード寄りにある。」を「【課題を解決するための手段】本発明のコネクタの実装方法は、プリント基板の端部に両翼部を残して形成された切欠部にコネクタを挿入し、コネクタの両側部に突設された突出部を前記両翼部に載せるとともに、コネクタの前面から延出する複数本のリードを前記切欠部の端縁に沿って形成された前記プリント基板の回路パターンの端子に載せ、リードを端子に半田付けして固着するようにしたコネクタの実装方法であって、前記コネクタの重心が前記突出部よりも前記リード寄りにあ
り、リードを端子に押し付ける方向に回転モーメントが作用す
　　　
　Ｄ．訂正事項ｄ
　明細書の段落番号【０００９】の「【発明の実施の形態】請求項１記載の発明のコネクタの実装方法は、プリント基板の端部に両翼部を残して形成された切欠部にコネクタを挿入し、コネクタの両側部に突設された突出部を前記両翼部に載せるとともに、コネクタの前面から延出する複数本のリードを前記切欠部の端縁に沿って形成された前記プリント基板の回路パターンの端子に載せ、リードを端子に半田付けして固着するようにしたコネクタの実装方法であって、前記コネクタの重心が前記突出部よりも前記リード寄りにある。」を「【発明の実施の形態】請求項１記載の発明のコネクタの実装方法は、プリント基板の端部に両翼部を残して形成された切欠部にコネクタを挿入し、コネクタの両側部に突設された突出部を前記両翼部に載せるとともに、コネクタの前面から延出する複数本のリードを前記切欠部の端縁に沿って形成された前記プリント基板の回路パターンの端子に載せ、リードを端子に半田付けして固着するようにしたコネクタの実装方法であって、前記コネクタの重心が前記突出部よりも前記リード寄りにあ
り、リードを端子に押し付ける方向に回転モーメントが作用す
る。」と訂正する。
　　　
　Ｅ．訂正事項ｅ
　明細書の段落番号【００２３】の「【発明の効果】請求項１の本発明のコネクタの実装方法によれば、コネクタをプリント基板に搭載した状態でコネクタの重心バランスが安定し、コネクタがプリント基板から落下したり、コネクタのリードが回路パターンの端子から離れることはない。特に、コネクタの重心を突出部よりもリード寄りにすることにより、リードを端子に押し付ける方向の回転モーメントが作用し、リードを端子にしっかり接地させて重心バランスよく搭載することができる。また請求項２の本発明によれば、コネクタとプリント基板の厚さ方向のセンターを極力一致させることにより、外部コネクタのピンをコネクタに差し込む際に、コネクタがこねられてリードが端子から離れることもなく、さらには全体を薄くできる。また請求項３の本発明によれば、突出部を凹部に嵌合させることにより、コネクタの位置ずれを防止できる。また請求項４の本発明によれば、リードを突出部として兼務させることにより、リードや端子の総数を増加させることができる。」を「【発明の効果】請求項１の本発明のコネクタの実装方法によれば、コネクタをプリント基板に搭載した状態でコネクタの重心バランスが安定し、コネクタがプリント基板から落下したり、コネクタのリードが回路パターンの端子から離れることはない。特に、コネクタの重心を突出部よりもリード寄りにすることにより、リードを端子に押し付ける方向の回転モーメントが作用し、リードを端子にしっかり接地させて重心バランスよく搭載することができる。また請求項２の本発明によれば、コネクタとプリント基板の厚さ方向のセンターを極力一致させることにより、外部コネクタのピンをコネクタに差し込む際に、コネクタがこねられてリードが端子から離れることもなく、さらには全体を薄くできる。また請求項３の本発明によれば、突出部を凹部に嵌合させることにより、コネクタの位置ずれを防止できる
。
　　　
（２）訂正の目的の適否、新規事項の有無、及び特許請求の範囲の拡張・変更の存否
　Ａ．訂正事項ａは、特許明細書の特許請求の範囲に記載された「コネクタの重心が突出部よりもリード寄りにある」を、より下位概念である「コネクタの重心が突出部よりもリード寄りにあり、リードを端子に押し付ける方向に回転モーメントが作用する」に限定しようとするものである。また、この訂正事項ａは、特許明細書の段落番号【００１６】に記載されていたものである。そうすると、上記訂正事項ａは、特許明細書に記載された事項の範囲内において「コネクタの重心の配置」を限定したものといえるから、特許請求の範囲の減縮を目的とした明細書の訂正に該当するものであって、新規事項の追加に該当せず、また、実質上特許請求の範囲を拡張し、又は変更するものではない。
　　　
　Ｂ．訂正事項ｂは、請求項を削除するものであり、特許請求の範囲の減縮を目的とした明細書の訂正に該当するものであって、新規事項の追加に該当せず、また、実質上特許請求の範囲を拡張し、又は変更するものではない。
　　　
　Ｃ．訂正事項ｃは、訂正事項ａの訂正にともない、特許請求の範囲の記載と発明の詳細な説明の記載との整合をとるものである。よって、上記訂正事項ｃは明りょうでない記載の釈明を目的とする明細書の訂正に該当するものであって、新規事項の追加に該当せず、また、実質上特許請求の範囲を拡張し、又は変更するものでもない。
　　　
　Ｄ．訂正事項ｄは、訂正事項ａの訂正にともない、特許請求の範囲の記載と発明の詳細な説明の記載との整合をとるものである。よって、上記訂正事項ｄは明りょうでない記載の釈明を目的とする明細書の訂正に該当するものであって、新規事項の追加に該当せず、また、実質上特許請求の範囲を拡張し、又は変更するものでもない。
　　　
　Ｅ．訂正事項ｅは、訂正事項ｂの訂正にともない、特許請求の範囲の記載と発明の詳細な説明の記載との整合をとるものである。よって、上記訂正事項ｅは明りょうでない記載の釈明を目的とする明細書の訂正に該当するものであって、新規事項の追加に該当せず、また、実質上特許請求の範囲を拡張し、又は変更するものでもない。
　　　
（３）むすび
　以上のとおりであるから、上記訂正は、特許法第１２０条の４第３項において準用する平成６年法律第１１６号による改正前の特許法第１２６条第１項ただし書、第２項及び第３項の規定に適合するので、当該訂正を認める。
　　　
３．特許異議の申立ての概要
　申立人松岡利忠は、請求項１〜４に係る発明は、下記の甲第１〜７号証に記載された発明に基づいて当業者が容易に発明をすることができたものであるから、特許法第２９条第２項の規定により特許を受けることができない発明であって、それら発明に係る特許は、特許法第１１３条第２号に該当するので取り消されるべきものである旨主張している。
　　　甲第１号証：実願平３−１０２１４４号（実開平５−５０６９０号）のＣＤ−ＲＯＭ
　　　甲第２号証：実願平３−４４７９５号（実開平４−１２９４８６号）のＣＤ−ＲＯＭ
　　　甲第３号証：実開平２−１４８５７９号公報
　　　甲第４号証：実開昭６０−１４７０９１号公報
　　　甲第５号証：特開昭６１−２９２３９５号公報
　　　甲第６号証：特開平５−３３５４５２号公報
　　　甲第７号証：実願平３−５７０１２号（実開平５−１１３６９号）のＣＤ−ＲＯＭ
　　　
４．本件発明
　上記のとおり訂正が認められたので、本件特許３３２９２３０号の請求項１〜３に係る発明（以下、それぞれ、「本件発明１」、「本件発明２」、「本件発明３」という。）は、訂正明細書の特許請求の範囲の請求項１〜３に記載された次のとおりのものである。
本件発明１「プリント基板の端部に両翼部を残して形成された切欠部にコネクタを挿入し、コネクタの両側部に突設された突出部を前記両翼部に載せるとともに、コネクタの前面から延出する複数本のリードを前記切欠部の端縁に沿って形成された前記プリント基板の回路パターンの端子に載せ、リードを端子に半田付けして固着するようにしたコネクタの実装方法であって、前記コネクタの重心が前記突出部よりも前記リード寄りにあり、リードを端子に押し付ける方向に回転モーメントが作用することを特徴とするコネクタの実装方法。」
本件発明２「コネクタと前記プリント基板の厚さ方向におけるセンターが略一致することを特徴とする請求項１記載のコネクタの実装方法。」
本件発明３「前記両翼部の上面に凹部が形成されており、前記突出部をこの凹部に嵌合させることを特徴とする請求項１または２記載のコネクタの実装方法。」
　　　
５．本件発明１の特許について
（１）刊行物記載の発明
　当審が通知した取消しの理由に引用された実願平３−４４７９５号（実開平４−１２９４８６号）のＣＤ−ＲＯＭ（甲第２号証：以下、「引用刊行物１」という。）には、次の事項が記載されている。
（イ）「表面実装部品に二列に設けられた多数本の端子の接触部を一直線上に一列に配列させ、基板の端部に表面実装部品を配置して端子の接触部を基板の接触部に半田付けするようにしたことを特徴とする表面実装部品の基板取付構造。」（実用新案登録請求の範囲）
（ロ）「以下、本考案の実施例を図面に基いて説明する。図１は本考案に係る表面実装部品の基板取付構造の平面図、図２は同断面図である。図面中１は基板、２は表面実装部品としてのコネクタである。基板１の端部にはコネクタが納まるように長方形状の切欠からなる部品収容部３が形成してあり、また、基板１の面部には部品収容部３を挟んだ左右に位置させてピン孔４が設けてあり、基板１の面部には部品収容部３の端縁部５に近付けて左右方向に所定のピッチ間隔で多数の接触部６が設けてある。コネクタ２は、図４乃至図７に示すようにベース部材７を備えており、このベース部材７の左右側部は切り欠かれていて、これらの切欠部が取付部８に成されていて、これらの取付部８にピン１０が設けてある。ベース部材７の端子取付部１１は取付部８を除いた部分であり、この端子取付部１１には多数本の端子１２が２列にわたって所定のピッチ間隔で取り付けてある。そして、端子１２の接触部１３は、その基部において平面直角状に且つ側面クランク状に曲げられていてベース部材７の中央に一直線状に一列に配列されている。そして、ベース部材７の端子取付部１１は基板１の部品収容部３内に納まる長さ寸法にしてあり、ピン１０の間隔はピン孔４の間隔に等しくしてある。」（第５頁第９〜２５行）
（ハ）「そして、コネクタ２の端子取付部１１を基板１の部品収容部３に収容するとともに、ピン１０をピン孔４に挿入して基板１にコネクタ２が取り付けてあり、この場合、端子１２の接触部１３は基板１の接触部６に接触しており、両接触部１３、６が半田付けされている。上記の実施例によれば、表面実装部品であるコネクタ２に二列に設けられた多数本の端子１２の接触部１３を一直線状に一列に配列させ、基板１の端部にコネクタ２を配置して端子１２の接触部１３を基板１の接触部６に半田付けするようにしたので、半田接続部より上部の空間Ｈが従来の基板上に部品を載せた場合にくらべて低くなるし、また、半田接続時の熱処理工程（半田付け工程）が、従来の端子で基板を挟み込むものにくらべて一回少なくなる。しかも、端子１２の接触部１３は、その基部において平面直角状に且つ側面クランク状に曲げられているために、ベース部材の７の中央に一直線状に一列に配列するに当たっては、向かい合う端子１２を表裏逆にすれば良く、二列の端子１２群に同じ形状の端子が使用できて、部品点数を減らすことができる。」（第５頁第２７行〜第６頁第１２行）
　また、図１には、基板１の端部に両翼部を残して形成された切欠を部品収納部３としたものが記載されている。
　これら（イ）〜（ハ）の記載及び図１〜７の記載を総合すると、上記引用刊行物１には「基板１の端部に両翼部を残して形成された部品収容部３にコネクタ２を挿入し、コネクタ２の両側部に突設された取付部８を前記両翼部に載せるとともに、コネクタ２の前面から延出する複数本の端子１２の接触部１３を前記部品収容部３の端縁部５に沿って形成された前記基板１の接触部６に載せ、端子１２の接触部１３を基板１の接触部６に半田付けして固着するようにしたコネクタの実装方法」の発明（以下、「引用発明１」という。）が記載されていると認められる。
　また、同じく引用された実願平３−１０２１４４号（実開平５−５０６９０号）のＣＤ−ＲＯＭ（甲第１号証：以下、「引用刊行物２」という。）には、「平面部をコンタクトの端子部側ないし端子部寄りに設ければ、コネクタの重心が端子部側に移動する結果、プリント基板上に搭載した後のコネクタの安定性が図れ、信頼性の高い半田付けが可能となる。」（第６頁第２５〜２７行）、「シェル３はコンタクト１を通る電気信号を外部の電磁ノイズからシールドするためのものであって、相手側コネクタに対応する嵌合部２ａの回りの部分が相手側コネクタに嵌合する。またシェル３には、その一部をコンタクト１の端子部１１側に延出してなる平面部３１が形成されている。この平面部３１は、設置面２ｄに対して平行にのびコンタクト１の端子部１１の反対面側（図１において上面側）において、コネクタの重心線Ｇ上に設けられる。平面部３１の面積は、図１に示した吸着用ノズル７による吸着を十分に行えるように、吸着ノズル７の吸着口の面積以上とすれば良い。また、インシュレータ２の上面には対の突部２ｂが形成されている。突部２ｂには平面部３１に形成されている孔３ａに一対一に係合されている。以上の構成を備えた実施例のコネクタは、最適の方式で自動実装機に供給された後、シェル３の平面部３１を吸着ノズル７で吸着して保持される。また、画像認識その他の方法により姿勢決めされる。そしてこの姿勢決めされた状態で、プリント基板Ｐ上の指定された位置まで誘導され、その位置に搭載される。この時、平面部３１が端子部１１側にあるので、プリント基板Ｐ上のコネクタは、コンタクト１の接触部１２側に傾斜することがない。」（第７頁第２６行〜第８頁第１３行）、「平面部をコンタクトの端子部側に設れば、コネクタの重心が端子部側に移動するので、プリント基板上に搭載後におけるコネクタの安定性が図れ、このため信頼性の高い半田付けが可能となる。」（第９頁第１７〜１９行）が記載されており、これらの記載及び図１〜７の記載を総合すると、上記引用刊行物２には、「コネクタの重心が端子部１１（本件発明１の「リード」に相当。以下同様。）側にあり、コネクタは、コンタクト１の接触部１２側（「リード」と反対側）に傾斜することがなく、コネクタの安定性が図れるとともに、信頼性の高い半田付けを可能としたもの」が記載されていると認められる。
　　　
（２）対比・判断
　本件発明１と引用発明１とを対比すると、引用発明１の「基板１」、「部品収容部３」、「コネクタ２」、「取付部８」、「端子１２の接触部１３」、「部品収容部３の端縁部５」、「基板１の接触部６」は、その機能と構造からみて、本件発明１の「プリント基板」、「切欠部」、「コネクタ」、「突出部」、「リード」、「切欠部の端縁」、「プリント基板の回路パターンの端子」に、それぞれ相当する。
　そうしてみると、両者は、「プリント基板の端部に両翼部を残して形成された切欠部にコネクタを挿入し、コネクタの両側部に突設された突出部を前記両翼部に載せるとともに、コネクタの前面から延出する複数本のリードを前記切欠部の端縁に沿って形成された前記プリント基板の回路パターンの端子に載せ、リードを端子に半田付けして固着するようにしたコネクタの実装方法」である点で一致し、以下の点で相違している。
　　　
（Ａ）本件発明１においては、コネクタの重心が突出部よりもリード寄りにあり、リードを端子に押し付ける方向に回転モーメントが作用しているのに対し、引用発明１においては、コネクタの重心の位置が不明であり、リードを端子に押し付ける方向に回転モーメントが作用しているかどうか明らかでない点（以下、「相違点（Ａ）」という。）。
　　　
　そこで、相違点（Ａ）について検討する。引用刊行物２には、コネクタの重心をリード寄りにしてコネクタの安定性を図ったものが記載されている。しかしながら、リードを端子に押し付ける方向に回転モーメントを作用させる点については記載されておらず、またこれを示唆する記載もない。また、引用発明１において、コネクタ２（「コネクタ」に相当）の重心の位置は明らかではないが、仮に重心の位置が端子１２の接触部１３（「リード」に相当）寄りにあったとしても、コネクタ２と基板１（「プリント基板」に相当）は、取付部８に設けられたピン１０を基板１に設けられたピン孔４に挿入することにより取り付けられており、回転モーメントが作用することは想定し難い。そして、本件発明１はコネクタの重心が突出部よりもリード寄りにあることによって、突出部のリード側端部を支点としてリードを端子に押し付ける方向に回転モーメントが作用するものであり、このことについては引用発明１及び引用刊行物２に記載されたものから導き出されるものではなく、また特許異議申立人が提出した証拠のいずれにおいても、この点について示唆するものはない。
　また、本件発明１は「リードを端子に押し付ける方向に回転モーメントが作用」する構成を有することにより、特許異議申立人の提出する証拠から得ることのできない、リードを端子にしっかり接地させて重心バランスよく搭載することができるという特有の効果を奏するものである。
　してみると、本件発明１のように「リードを端子に押し付ける方向に回転モーメントが作用」する構成を設けることは、特許異議申立人の提出する証拠に基いて容易に想到できたものとすることができない。
　したがって、本件発明１は、特許異議申立人が証拠として提出した刊行物に記載された発明から容易に発明できたものでもないので、本件発明１の特許は、特許法第２９条第２項の規定に違反してなされたものではない。
　　　
６．本件発明２の特許について
　本件発明２は、本件発明１に「コネクタとプリント基板の厚さ方向におけるセンターが略一致する」構成を付加するものである。上記５．において検討したように、本件発明１の特許が、特許法第２９条第２項の規定にも違反してなされたものではないとされる以上、さらに上記構成を付加する本件発明２の特許についても同様に、特許法第２９条第２項の規定にも違反してなされたものではない。
　　　
７．本件発明３の特許について
　本件発明３は、本件発明１又は２に「前記両翼部の上面に凹部が形成されており、前記突出部をこの凹部に嵌合させる」構成を付加するものである。上記５．及び６．において検討したように、本件発明１及び本件発明２の特許が、特許法第２９条第２項の規定にも違反してなされたものではないとされる以上、さらに上記構成を付加する本件発明３の特許についても同様に、特許法第２９条第２項の規定にも違反してなされたものではない。
　　　
８．むすび
　以上のとおりであるから、請求項１〜３に係る発明の特許は、特許異議申立ての理由及び証拠によっては取り消すことはできない。
　また、他に請求項１〜３に係る発明の特許を取り消すべき理由を発見しない。
　よって、結論のとおり決定する。
【異議決定日】
平成１５年９月１７日（２００３．９．１７）
【訂正の要旨】
審決（決定）の【理由】欄参照。
（５４）【発明の名称】
コネクタの実装方法
（５７）【特許請求の範囲】
　【請求項１】プリント基板の端部に両翼部を残して形成された切欠部にコネクタを挿入し、コネクタの両側部に突設された突出部を前記両翼部に載せるとともに、コネクタの前面から延出する複数本のリードを前記切欠部の端縁に沿って形成された前記プリント基板の回路パターンの端子に載せ、リードを端子に半田付けして固着するようにしたコネクタの実装方法であって、前記コネクタの重心が前記突出部よりも前記リード寄りにあ
り、リードを端子に押し付ける方向に回転モーメントが作用す
　【請求項２】コネクタと前記プリント基板の厚さ方向におけるセンターが略一致することを特徴とする請求項１記載のコネクタの実装方法。
　【請求項３】前記両翼部の上面に凹部が形成されており、前記突出部をこの凹部に嵌合させることを特徴とする請求項１または２記載のコネクタの実装方法。
【発明の詳細な説明】
　【０００１】
　【発明の属する技術分野】
　本発明は、外部との電気的接続を行うためのコネクタをプリント基板の端部に搭載するためのコネクタの実装方法に関するものである。
　【０００２】
　【従来の技術】
　各種電子機器に組み込まれるプリント基板には様々な品種の電子部品が実装されるが、電子部品のうち、外部との電気的接続を行うためのコネクタは、その性格上、一般にプリント基板の端部に実装される。以下、従来のコネクタの実装方法について説明する。
　【０００３】
　図１２は従来のコネクタの実装構造を示す側面図である。コネクタ１は、合成樹脂モールド体から成るコネクタ本体２の前面からリード３が前方へ延出している。プリント基板４の上面には回路パターンが形成されており、コネクタ１はリード３を回路パターンの端部の端子に接地させてプリント基板４に搭載される。この場合、図示するようにコネクタ１はその後部をプリント基板４からはみ出して搭載されることが多い。コネクタ１が搭載されたプリント基板４はリフロー装置の加熱炉へ送られ、リード３と端子の半田付けが行われる。
　【０００４】
　【発明が解決しようとする課題】
　しかしながら上記従来のコネクタの実装構造では、コネクタ１はその後部をプリント基板４からはみ出して搭載されるため搭載状態が不安定であり、搭載してから半田付けするまでの間に、コネクタ１が位置ずれしてリード３が回路パターンの端子から脱落したり、あるいは矢印Ｎ１で示すようにプリント基板４から落下しやすいという問題点があった。
　【０００５】
　また全体の厚さＷが厚くなって小型コンパクト化が困難であり、またコネクタ１の厚さ方向のセンターとプリント基板４の厚さ方向のセンターが距離Ｄだけずれているため、外部コネクタのピンをコネクタ１の後方から差し込む際の力Ｆのためにコネクタ１に矢印Ｎ２方向すなわちコネクタ１をこねる方向の回転モーメントが加わり、リード３が端子から離れやすいという問題点があった。
　【０００６】
　そこで本発明は、上記従来の問題点を解消できるコネクタの実装方法を提供することを目的とする。
　【０００７】
　【課題を解決するための手段】
　本発明のコネクタの実装方法は、プリント基板の端部に両翼部を残して形成された切欠部にコネクタを挿入し、コネクタの両側部に突設された突出部を前記両翼部に載せるとともに、コネクタの前面から延出する複数本のリードを前記切欠部の端縁に沿って形成された前記プリント基板の回路パターンの端子に載せ、リードを端子に半田付けして固着するようにしたコネクタの実装方法であって、前記コネクタの重心が前記突出部よりも前記リード寄りにあ
り、リードを端子に押し付ける方向に回転モーメントが作用す
　【０００８】
　この構成により、コネクタをプリント基板に重心バランスよく実装することができる。
　【０００９】
　【発明の実施の形態】
　請求項１記載の発明のコネクタの実装方法は、プリント基板の端部に両翼部を残して形成された切欠部にコネクタを挿入し、コネクタの両側部に突設された突出部を前記両翼部に載せるとともに、コネクタの前面から延出する複数本のリードを前記切欠部の端縁に沿って形成された前記プリント基板の回路パターンの端子に載せ、リードを端子に半田付けして固着するようにしたコネクタの実装方法であって、前記コネクタの重心が前記突出部よりも前記リード寄りにあ
り、リードを端子に押し付ける方向に回転モーメントが作用す
　【００１０】
　この構成により、コネクタをプリント基板に重心バランスよく実装することができる。
　【００１２】
　この構成により、コネクタをプリント基板の端部から突出させ、メモリーカードやカードコンピュータなどのカードモジュールに好適な実装構造とすることができる。
　【００１３】
　（実施の形態１）
　図１は本発明の実施の形態１のコネクタとプリント基板の搭載前の斜視図、図２は同搭載後の斜視図である。コネクタ１１は、合成樹脂モールド体から成るコネクタ本体１２と、その前面から前方へ延出する多数本のリード１３から成っており、またコネクタ本体１２の両側部には舌片状の突出部１４が突設されている。１５はコネクタ本体１２の背面に開口された開口部であって、この開口部１４から外部コネクタのピンを差し込む。
　【００１４】
　プリント基板１６の後端部には切欠部１７が形成されており、その両側部には翼部１８が残っている。プリント基板１６の上面には回路パターン１９が形成されており、切欠部１７の端縁に沿って端子２０が配設されている。
　【００１５】
　コネクタ１１を矢印方向に切欠部１７内に挿入し、突出部１４を両翼部１８に載せることによりプリント基板１６に搭載される（図２参照）。図３は本発明の実施の形態１のコネクタをプリント基板に搭載した状態の側面図、図４および図５は同断面図である。
　【００１６】
　搭載状態において、コネクタ１１の後部はプリント基板１６からはみ出さず、またコネクタ１１の重心Ｇは突出部１４よりもリード１３寄りにあり、コネクタ１１には矢印Ｎ３方向すなわち端子２０上に載せられたリード１３を端子２０に押し付ける方向に自重による回転モーメントが作用するので、リード１３を端子２０にしっかり接地させて重心バランスよく搭載できる。また全体の厚さＷを小さくでき、またコネクタ１１とプリント基板１６の厚さ方向におけるセンターは略一致するので、外部コネクタのピンを後方から差し込む力Ｆによりコネクタ１１がこねられてリード１３が端子２０から離れることもない。
　【００１７】
　このようにしてコネクタ１１が搭載されたプリント基板１６はリフロー装置の加熱炉へ送られ、リード１３は端子２０に半田付けして固着されるが、コネクタ１１の搭載状態は安定しており、殊にコネクタ１１の横方向（リード１３の横巾方向）の位置ずれは、コネクタ本体１２の両側面が両翼部１８の内側面に当接することにより規制されるので（図５参照）、リード１３が端子２０から脱落することもなく、リード１３を端子２０に確実に接地させたままで固着できる。
　【００１８】
　（実施の形態２）
　図６は本発明の実施の形態２のコネクタの斜視図、図７は同コネクタをプリント基板に搭載した状態の側面図である。この実施の形態２の突出部１４ａはピンである点において実施の形態１と相違している。このものもコネクタ１１の自重による回転モーメントが矢印Ｎ３方向に作用するなど、実施の形態１と同様の作用効果が得られる。
　【００１９】
　（実施の形態３）
　図８は本発明の実施の形態３のコネクタの突出部を翼部に搭載した状態の部分断面図である。翼部１８の上面には凹部２１が形成されており、突出部１４ａをこの凹部２１に嵌合させることにより、コネクタ１１の位置ずれを防止している。
　【００２０】
　（実施の形態４）
　図９は本発明の実施の形態４のコネクタとプリント基板の搭載前の斜視図である。プリント基板１６にはその両翼部１８上にも端子２０と回路パターン１９が形成されている。またコネクタ本体１２の側壁にもリード１３が設けられている。勿論、コネクタ本体１２の前面にもリード１３は設けられている。コネクタ１１を切欠部１７に挿入し、両翼部１８の端子２０上に側壁のリード１３が載せられる。すなわちこの第４実施の形態では、リード１３が両翼部１８に載せられる突出部を兼務しており、このように構成することにより、リード１３や端子２０の総数を増加することができる。
　【００２１】
　（実施の形態５）
　図１０は本発明の実施の形態５のコネクタとプリント基板の搭載前の斜視図、図１１は同コネクタをプリント基板に搭載した状態の側面図である。このものは、両翼部１８とプリント基板１６の接合部には切り離し手段としてのＶ溝２２が形成されている。またコネクタ本体１２の側壁には板状の突出部２３が突設されている。
　【００２２】
　コネクタ１１を切欠部１７に挿入し、突出部２３を両翼部１８に載せる。その後、プリント基板１６はリフロー装置の加熱炉へ送られ、リード１３は端子２０に半田付けして固着される。半田付けが終了したならば、図１１において鎖線で示すように、両翼部１８をＶ溝２２から破断して分離除去する。本実施の形態５によれば、コネクタ本体１２がプリント基板１６の端部から突出する構造が可能であり、例えばメモリーカードやカードコンピュータなどのカードモジュールなどに好適な実装構造とすることができる。なお両翼部１８をプリント基板１６から分離除去する切り離し手段は実施の形態５に限定されないのであって、例えばＶ溝２２に替えてミシン目を形成してもよい。以上の各実施の形態から明らかなように、本発明は様々の設計変更が可能である。
　【００２３】
　【発明の効果】
　請求項１の本発明のコネクタの実装方法によれば、コネクタをプリント基板に搭載した状態でコネクタの重心バランスが安定し、コネクタがプリント基板から落下したり、コネクタのリードが回路パターンの端子から離れることはない。特に、コネクタの重心を突出部よりもリード寄りにすることにより、リードを端子に押し付ける方向の回転モーメントが作用し、リードを端子にしっかり接地させて重心バランスよく搭載することができる。また請求項２の本発明によれば、コネクタとプリント基板の厚さ方向のセンターを極力一致させることにより、外部コネクタのピンをコネクタに差し込む際に、コネクタがこねられてリードが端子から離れることもなく、さらには全体を薄くできる。
　また請求項３の本発明によれば、突出部を凹部に嵌合させることにより、コネクタの位置ずれを防止できる。
【図面の簡単な説明】
　【図１】
　本発明の実施の形態１のコネクタとプリント基板の搭載前の斜視図
　【図２】
　本発明の実施の形態１のコネクタとプリント基板の搭載後の斜視図
　【図３】
　本発明の実施の形態１のコネクタをプリント基板に搭載した状態の側面図
　【図４】
　本発明の実施の形態１のコネクタをプリント基板に搭載した状態の断面図
　【図５】
　本発明の実施の形態１のコネクタをプリント基板に搭載した状態の断面図
　【図６】
　本発明の実施の形態２のコネクタの斜視図
　【図７】
　本発明の実施の形態２のコネクタをプリント基板に搭載した状態の側面図
　【図８】
　本発明の実施の形態３のコネクタの突出部を翼部に搭載した状態の部分断面図
　【図９】
　本発明の実施の形態４のコネクタとプリント基板の搭載前の斜視図
　【図１０】
　本発明の実施の形態５のコネクタとプリント基板の搭載前の斜視図
　【図１１】
　本発明の実施の形態５のコネクタをプリント基板に搭載した状態の側面図
　【図１２】
　従来のコネクタの実装構造を示す側面図
　【符号の説明】
　１１　コネクタ
　１２　コネクタ本体
　１３　リード
　１４，１４ａ，２３　突出部
　１６　プリント基板
　１７　切欠部
　１８　翼部